【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
外周面が周方向に分割して異なる極に交互に着磁された回転可能な中空円筒形状のマグネットと、該マグネットの回転軸方向に配置されたコイルと、歯形状の外側磁極部と内側磁極部が前記マグネットの外周面と内周面に対向し、前記コイルにより励磁されるステータと、前記内側磁極部の内径側の開口部を光路とするレンズを前記マグネットの回転に連動して光軸方向に移動させて該レンズの光軸方向の位置を変化させるレンズ位置出し機構とを有するレンズ駆動装置であって、
前記コイルへの無通電時に前記マグネットと前記外側磁極部との吸引力により前記マグネットの回転位置が保持される第１の位置と、前記マグネットが前記第１の位置から所定の角度回転した位置であって前記コイルへの無通電時に前記マグネットと前記外側磁極部との吸引力により前記マグネットの回転位置が保持される第２の位置を規制する規制部材を持ち、前記コイルの通電方向により前記第１の位置と前記第２の位置を切り換えることを特徴とするレンズ駆動装置。
【請求項２】
前記外側磁極部は前記マグネットの外周面に対して所定の角度をもって対向するものであって、前記外側磁極部の前記マグネットに対向する前記所定の角度と前記マグネットの１極あたりの角度の比率をＹ、前記マグネットの半径方向の厚みに対する前記マグネットの１極あたりの円周上の長さの比の値をＸとすると
−０．３Ｘ＋０．６３＞Ｙ
の条件を満たすことを特徴とする請求項１に記載のレンズ駆動装置。
【請求項３】
前記規制部材は、前記マグネットの回動範囲を、前記第１の位置と前記第２の位置の間で一方から他方へ回転できるように規制すると共に、前記マグネットが前記第１の位置もしくは前記第２の位置に達した状態では、前記各磁極部の中心に対して前記マグネットの１極の中心が一定の角度をなし、この状態時に前記コイルの通電が断たれると、前記各磁極部の中心に前記マグネットの１極の中心を対向させる磁力が前記第１の位置もしくは前記第２の位置の状態を保持する力として作用するように、前記外側磁極部に対する前記マグネットの関係を規制し、
前記レンズ位置出し機構は、前記マグネットが前記第１の位置と前記第２の位置の間で一方から他方へ回転するのに連動して、前記レンズを第１のレンズ位置もしくは第２のレンズ位置のうちの何れか一方に変化させることを特徴とする請求項１に記載のレンズ駆動装置。
【請求項４】
前記レンズ位置出し機構は、オスヘリコイド部と該オスヘリコイド部に結合されるメスヘリコイド部とより成り、
前記オスヘリコイド部と前記メスヘリコイド部のうちの一方は、前記レンズを保持する円筒状の保持部材に形成され、他方は、前記内側磁極部の内壁面に固定される部材に形成され、
前記マグネットの回転に連動して前記保持部材が回転することで、前記オスヘリコイド部と前記メスヘリコイド部の作用により前記レンズが光軸方向に移動することを特徴とする請求項１に記載のレンズ駆動装置。
【請求項５】
前記レンズ位置出し機構は、オスヘリコイド部と該オスヘリコイド部に結合されるメスヘリコイド部とより成り、
前記オスヘリコイド部と前記メスヘリコイド部のうちの一方は、前記レンズを保持する円筒状の保持部材に形成され、他方は、前記ステータと同心で軸方向に重ねて配置された固定部材の内壁面に形成され、
前記マグネットの回転に伴って前記保持部材が回転することで、前記オスヘリコイド部と前記メスヘリコイド部の作用により前記レンズが光軸方向に移動することを特徴とする請求項１に記載のレンズ駆動装置。
【手続補正２】
【補正対象書類名】明細書
【補正対象項目名】００１０
【補正方法】変更
【補正の内容】
【００１０】
そこで本願出願では、簡易的に２種類の位置の間でレンズを移動させる構成の装置を新たに考えている。
【手続補正３】
【補正対象書類名】明細書
【補正対象項目名】００１１
【補正方法】変更
【補正の内容】
【００１１】
（発明の目的）本発明の第１の目的は、一旦コイルへ通電を行ってレンズ位置出しした後は、前記コイルへの通電を断っても、その位置に保持することができる構成を可能にするレンズ駆動装置を提供しようとするものである。
【手続補正４】
【補正対象書類名】明細書
【補正対象項目名】００１３
【補正方法】変更
【補正の内容】
【００１３】
【課題を解決するための手段】上記第１の目的を達成するために、請求項１に記載の発明は、外周面が周方向に分割して異なる極に交互に着磁された回転可能な中空円筒形状のマグネットと、該マグネットの回転軸方向に配置されたコイルと、歯形状の外側磁極部と内側磁極部が前記マグネットの外周面と内周面に対向し、前記コイルにより励磁されるステータと、前記内側磁極部の内径側の開口部を光路とするレンズを前記マグネットの回転に連動して光軸方向に移動させて該レンズの光軸方向の位置を変化させるレンズ位置出し機構とを有するレンズ駆動装置であって、前記コイルへの無通電時に前記マグネットと前記外側磁極部との吸引力により前記マグネットの回転位置が保持される第１の位置と、前記マグネットが前記第１の位置から所定の角度回転した位置であって前記コイルへの無通電時に前記マグネットと前記外側磁極部との吸引力により前記マグネットの回転位置が保持される第２の位置を規制する規制部材を持ち、前記コイルの通電方向により前記第１の位置と前記第２の位置を切り換えるレンズ駆動装置とするものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、上記第２の目的を達成するために、請求項３に記載の発明は、前記規制部材が、前記マグネットの回動範囲を、前記第１の位置と前記第２の位置の間で一方から他方へ回転できるように規制すると共に、前記マグネットが前記第１の位置もしくは前記第２の位置に達した状態では、前記各磁極部の中心に対して前記マグネットの１極の中心が一定の角度をなし、この状態時に前記コイルの通電が断たれると、前記各磁極部の中心に前記マグネットの１極の中心を対向させる磁力が前記第１の位置もしくは前記第２の位置の状態を保持する力として作用するように、前記外側磁極部に対する前記マグネットの関係を規制し、前記レンズ位置出し機構が、前記マグネットが前記第１の位置と前記第２の位置の間で一方から他方へ回転するのに連動して、前記レンズを第１のレンズ位置もしくは第２のレンズ位置のうちの何れか一方に変化させる請求項１に記載のレンズ駆動装置とするものである。
【手続補正７】
【補正対象書類名】明細書
【補正対象項目名】００１６
【補正方法】削除
【補正の内容】
【手続補正８】
【補正対象書類名】明細書
【補正対象項目名】００２１
【補正方法】変更
【補正の内容】
【００２１】
前記マグネット１の材料には、Ｎｄ−Ｆｅ−Ｂ系希土類磁性粉とポリアミドなどの熱可塑性樹脂バインダー材との混合物を射出成形することにより形成されたプラスチックマグネットを用いている。これにより、コンプレッション成形されたマグネットの場合の曲げ強度が５００Ｋｇｆ／ｃｍ２程度なのに対して、例えばポリアミド樹脂をバインダー材として使用した場合、８００Ｋｇｆ／ｃｍ２以上の曲げ強度が得られ、コンプレッション成形では出来ない薄肉円筒形状に形成することが可能となる。薄肉円筒状に形成することで、後述のステータ４の外側磁極部と内側磁極部との間隔を短く設定することができ、その間の磁気抵抗の小さい磁気回路とすることができる。これにより、後述のコイル２へ通電を行った場合、小さな起磁力でも多くの磁束を発生することができ、アクチュエータの性能が高まる。
【手続補正９】
【補正対象書類名】明細書
【補正対象項目名】００３０
【補正方法】変更
【補正の内容】
【００３０】
５２はレンズであり、レンズホルダー５１に固定され、該レンズホルダー５１が回転することで光軸方向に関しての位置が変化する。レンズホルダー５１は溝５１ｂを備え、この溝５１ｂがマグネット１のピン１ｓと嵌合して回転方向に関してはマグネット１と一体的に回転し、軸方向に関しての相対的な移動は可能になっている。つまり、マグネット１が回転することでレンズ５２の光軸方向の位置が変化する。レンズ５２の光軸および光路を、円筒形状のアクチュエータの内径側、更に詳しく述べればステータ４の内側磁極部４ｂの内径側の開口部に配置してあるため、コンパクトな鏡筒装置とすることができる。
【手続補正１０】
【補正対象書類名】明細書
【補正対象項目名】００５４
【補正方法】変更
【補正の内容】
【００５４】
図６で求めた直線１，２上に、上記図８，図９，図１０の構成により求まる値をそれぞれａ，ｂ，ｃで示したのが、図１１である。
【手続補正１１】
【補正対象書類名】明細書
【補正対象項目名】００８１
【補正方法】変更
【補正の内容】
【００８１】
２）前記コイル２への正逆通電が切り換えられることで正逆回転する前記マグネット１の回動範囲を、所定の第１の位置（例えば図３の位置）と第２の位置（例えば図４の位置）の間で一方から他方へ回転できるように規定すると共に、前記マグネットが前記第１の位置もしくは前記第２の位置に達した状態では、外側磁極部４ａの中心に対して前記マグネット１の着磁部の１極の中心とが一定の角度（α，β）をなし、この状態時に前記コイルへ２の通電が断たれると、前記外側磁極部４ａの中心に前記マグネット１の着磁部の１極の中心を対向させるコギング力が発生し、該コギング力が前記第１の位置もしくは前記第２の位置の状態を保持する力として作用するように、前記外側磁極部４ａに対する前記マグネット１の関係を規定する規定部材（突起部１ｂと溝５ｃ（５ｇ，５ｆ）を具備し、レンズ位置出し機構５１ａ，５０ａ（図１２では５１ａ，５５ａ）は、前記マグネット１が前記第１の位置と前記第２の位置の間で一方から他方へ回転するのに連動して、前記レンズを第１のレンズ位置（繰り込み位置）もしくは第２のレンズ位置（繰り出し位置）のうちの何れか一方に変化させるようにしている。
【手続補正１２】
【補正対象書類名】明細書
【補正対象項目名】００８５
【補正方法】変更
【補正の内容】
【００８５】
【発明の効果】以上説明したように、本発明によれば、一旦コイルへ通電を行ってレンズ位置出しした後は、前記コイルへの通電を断っても、その位置に保持することができる構成を可能にするレンズ駆動装置を提供できるものである。
【手続補正１３】
【補正対象書類名】明細書
【補正対象項目名】００８６
【補正方法】変更
【補正の内容】
【００８６】
また、本発明によれば、省電化を達成しつつ、所定の第１の位置もしくは第２の位置にレンズを安定的に保持させることのできる簡易的なレンズ駆動装置を提供できるものである。